(57)【要約】【課題】  レンズを保持するフロント部と該フロント部の両側に折畳み出来るように取付けられたツルを有すメガネフレームであって、製作コストが安くなると共にスリムな外観を呈し得るメガネフレームの提供。【解決手段】  フロント部１は細い線材を材料とし連結部の両側に半円弧状の上リム部を有す上フレーム２と、連結部の両側に半円弧状の下リム部を有す下フレーム３から成り、上下フレーム２，３は中央連結部位にて互いに係止すると共に、外側に設けているヨロイ部７，１０を互いに連結することで組合わされ、そして上下フレーム２，３の上ヨロイ部７と下ヨロイ部１０にはリング２６，２６を形成し、またツル端にも軸穴を有すリング２７を曲げ成形して設け、これら各リングを組み合わせて上記軸穴に外径を僅かに大きくした軸２３をガタ付くことなく嵌めると共にネジ止めしている。【選択図】    図３
0003114436.tif 000002
【実用新案登録請求の範囲】
【請求項１】
レンズを保持するフロント部と該フロント部の両側に折畳み出来るように取付けられたツルを有すメガネフレームにおいて、該フロント部は細い線材を材料とし連結部の両側に半円弧状の上リム部を有す上フレームと、連結部の両側に半円弧状の下リム部を有す下フレームから成り、上下フレームは中央連結部位にて互いに係止すると共に、外側に設けているヨロイ部を互いに連結することで組合わされ、上記下フレームの中央連結部の両側には下リム部との間に穴を有した脚を形成し、該脚の穴には鼻当てパットの止着部を係合し、フロント部の外側には上フレーム及び下フレームを曲げ成形して軸穴を有すリングを上ヨロイ部と下ヨロイ部に形成し、またツル端にも軸穴を有すリングを曲げ成形して設け、これら各リングを組み合わせて上記軸穴に外径を僅かに大きくした軸をガタ付くことなく嵌めると共にネジ止めしたことを特徴とするメガネフレーム。
【請求項２】
レンズを保持するフロント部と該フロント部の両側に折畳み出来るように取付けられたツルを有すメガネフレームにおいて、該フロント部は細い線材を材料とし連結部の両側に半円弧状の上リム部を有す上フレームと、高張力糸の両側端にはカギと下ヨロイ部を有す下リム部から成り、上記上フレームの中央連結部の両側には上リム部との間に係止部と穴を有した脚を形成し、該脚の穴には鼻当てパットの止着部を係合し、上記下リム部のカギを上フレームの係止部に係止し、そして上フレームの外側には曲げ成形して軸穴を有すリングを上ヨロイ部に形成し、またツル端にも軸穴を有すリングを曲げ成形して設け、これら各リングを組み合わせて上記軸穴に外径を僅かに大きくした軸をガタ付くことなく嵌めると共にネジ止めしたことを特徴とするメガネフレーム。
【考案の詳細な説明】
【技術分野】
【０００１】
本考案はメガネフレーム、特に細い線材で構成されるメガネフレームに関するものである。
【背景技術】
【０００２】
メガネはフロント部とツルから成り、フロント部のリムにはレンズが嵌められ、ツルはフロント部の両外側に折畳み出来るように取付けられている。図８は従来の一般的なメガネフレームであり、フロント部(イ)と２本のツル(ロ)、(ロ)にて構成され、該ツル(ロ)、(ロ)はフロント部(イ)の両側にロウ付けしているヨロイ(ハ)、(ハ)に蝶番(ニ)、(ニ)を介して折畳み出来るように取付けられている。
【０００３】
フロント部(イ)は両リム(ホ)、(ホ)が連結部材(ヘ)に連結されると共に上記ヨロイ(ハ)、(ハ)がリム外側にロウ付けされて構成している。そして、リム内側であって連結部材(ヘ)の下方には鼻当てパット(ト)、(ト)が取付けられている。鼻当てパット(ト)、(ト)はリム内側にロウ付けされて下方へ延びる脚足先端に取付けられている。
【０００４】
ところで、リム(ホ)は引抜した所定断面の線材をリング状に曲げ成形し、内周にはレンズが嵌る嵌合溝が形成されている。そして、リム(ホ)の外側にはブローチが設けられて、該リム(ホ)に嵌ったレンズが外れないように固定される。ブローチはリム(ホ)の切口にロウ付けした両ブローチ片がネジ締めされてリム切口を閉じているが、小さなブローチは切削加工される。又、リム外側のヨロイ(ハ)は概略Ｌ形に鍛造加工されてロウ付けされている。
【０００５】
一方、蝶番(ニ)を用いてツル(ロ)を取付ける為には、蝶番(ニ)の各蝶片がロウ付けされ易いような大きさの平坦面とする為に、ツル(ロ)並びにヨロイ(ハ)は鍛造された部品が使われている。すなわち、ロウ付け面積が十分なければ部品は外れてしまう為に、細い線材から構成されるメガネフレームのツルではロウ付け面積が確保できない為に蝶番(ニ)を継手として使用するには適していない。
【０００６】
一方、細い線材から成るスリムなメガネフレームには、従来の蝶番継手構造はフレームの外観を損い、デザイン的にも適合しない。勿論、外観が損われないような小さな蝶番(ニ)を製作することで解決出来る点もあるが、小さな蝶番(ニ)を製作することは容易でなく、また小さな蝶番(ニ)にて長いツル(ロ)を支えることが困難と成って蝶番(ニ)にガタが発生し、メガネを掛けても位置ズレする。そして、従来のフロント部構造、及び蝶番継手構造ではその製作コストがかかり、メガネフレームは高く成ってしまう。
【考案の開示】
【考案が解決しようとする課題】
【０００７】
このように従来のメガネフレームには上記のごとき問題がある。本考案が解決しようとする課題はこれら問題点であり、製作コストが安くなると共にスリムな外観を呈し得るメガネフレームを提供する。
【課題を解決するための手段】
【０００８】
本考案に係るメガネフレームはレンズが保持されるフロント部とツルで構成し、ツルはフロント部両側に折畳み出来るように取付けられる。そしてフロント部は上フレームと下フレームの組合せから成り、上下フレームは夫々左右対称を成して半円弧状のハーフリムを形成している。又、中央連結部には組合わせる為の係合部を有し、両側にはヨロイ部を設けている。
【０００９】
そして、鼻当てパットを取付ける脚は下フレームの一部として中央連結部の両側に連続して形成される。ところで、本考案が対象とするメガネフレームは細い線材にて上記フロント部並びにツルを構成したものであって、ツルの継手はフロント部の一部として構成した上記ヨロイにリングを形成し、同じくツル端にもリングを形成し、この両リングの軸穴に軸を貫通して継手を構成している。
【００１０】
ここで、フロント部のリングはヨロイを曲げ成形して成り、同じくツル端のリングも曲げ成形して形成される。しかもリングは少なくとも僅か開口していて、軸が穴に貫通した場合に穴内周は軸との間に隙間がないように、弾性変形出来るマイナスクリアランスを残している。そして各リング間には樹脂等から成るワッシャが介在し、軸に嵌めてネジ締めした際に僅かに圧縮されて適度な圧接力が作用すると共に、ツルの折畳み操作に伴う磨耗を防止している。
【考案の効果】
【００１１】
本考案のメガネフレームは上フレームと下フレームの組合せから成り、細い線材を曲げ成形して構成する為に特別な鍛造用金型は不要と成り、製作コストは安くなる。そして、上下フレームにて形成されるリム形状は自由に変更することが出来、フロント部のデザインは多種多様化できる。そして、鼻当てパットを取付ける脚も下フレームの一部として成形され、ロウ付け作業は不要となることで、製作コストの削減のみならず、ロウ付け不能な材質であって使用することが可能と成る。
【００１２】
そして、フロント部外側に設けているヨロイにはリングを曲げ加工して形成し、このリングとツル端に曲げ加工して形成したリングを組み合わせてネジ止めすることでツルを折畳み可能に取付けている。リングの軸穴は軸との間に隙間を持たないようにマイナスクリアランスを有し、軸穴に軸が嵌ることで僅かに弾性拡大してツルがガタ付くことはない。勿論、ロウ付け加工する必要はなく、しかもツルが外れたりはしない。一方、蝶番などの継手部材を使用せず、フレームを構成する同じ線材を曲げ加工して形成したリングを軸受けとして連結した構造であり、線材で構成するスリムなメガネフレームの外観は損われない。
【実施例】
【００１３】
図１、図２は本考案のメガネフレームの外観図であり、図１は正面図、図２は平面図を表している。同図から明らかなように、該メガネフレームはフロント部１とツル１６，１６から成り、ツル１６，１６はフロント部１の両側に折畳み出来るように取付けられている。そして、フロント部１は上フレーム２と下フレーム３が組合わされて構成され、これら上フレーム２及び下フレーム３は細い金属製の線材を曲げ成形したもので、組合せに際してはロウ付け等の固定手段を用いることなく、単に係止することでフロント部１が構成されている。また鼻当てパット４は下フレーム３に形成した脚に止着部１３が嵌って取付けられている。
【００１４】
図３の(ａ)は上フレーム、(ｂ)は下フレームを夫々分離して示した場合であるが、このように、各上下フレーム２，３は別々に加工され、後で組合わされて上記フロント部１となる。上フレーム２は中央に連結部５を有し、その両側には上リム部６，６を、さらに上リム部６，６の外側には上ヨロイ部７，７が連続して成形されている。
【００１５】
一方の下フレーム３は中央に連結部８を有し、連結部８の両側には下リム部９，９を、さらに下リム部９，９の外側には下ヨロイ部１０，１０が連続して成形されている。しかも、連結部８と下リム部９，９の間には脚１１，１１が連続して形成され、脚１１の穴１２には前記鼻当てパット４の止着部１３が嵌って取付けられる。
【００１６】
ところで、下フレーム３は上フレーム２に引っ掛けられて組合わされることになるが、下フレーム３のＡ部が上フレーム２のＢ部に係止する。図４はこの係止状態を示している拡大図であり、下リム部９の内側端と脚１１との境界に形成される係止部１４が上フレーム２の上リム部６と連結部５の境界１５に係止している。図４の拡大図では、係止部１４に嵌って挟持される境界１５との間に隙間が存在しているが、実際には同図のような隙間はなく係止部１４に挟まれて位置ズレしないようになっている。
【００１７】
上フレーム２と下フレーム３が組合わされて図１に示すフロント部にレンズが嵌るならば、上フレーム２の上リム部６と下フレーム３の下リム部９には張力Ｐが作用する為に、係止部１４は境界１５に係止して安定した状態で位置決めされる。
【００１８】
勿論、上下リム部６，９によって形成されるリムにレンズを嵌める場合、上記のように下フレーム３の係止部１４，１４を上フレーム２の境界１５，１５に係止した状態で上ヨロイ部７と下ヨロイ部１０を開いて行い、レンズを嵌めてからネジ止めがなされる。図１に示している実施例では上ヨロイ部７及び下ヨロイ部１０にはリング(図示なし)を形成し、両リングの間にツル端に形成したリングを嵌めてネジ止めし、ツル１６を折畳み出来るように取付けている。
【００１９】
図５は本考案のフロント部中央に位置する連結部５，８を示している。連結部は上フレーム２の連結部５と下フレーム９の連結部８とが互いに平行して配置され、その為にフロント部１における中央連結部の強度は高くなる。ツル１６，１６を押し開く際に、フロント部１は曲げられて中央連結部にて最も大きなモーメントが作用することになるが、同図のように両連結部５，８が配置されることでこのモーメントに対抗出来、フロント部１の強度は高くなる。
【００２０】
図６は本考案の他の実施例であり、上フレーム１７は前記実施例と同じように上リム部６，６を連結部５の両側に形成しているが、この上フレーム１７には脚１１と係止部１８を連続して成形している。しかし下フレームの代わりに下リム部１９，１９を備えている。下リム部１９は(ｂ)に示すように水糸等の高張力糸２０が使用され、高張力糸２０の一端にはカギ２１が連結し、他端には下ヨロイ部２２が連結している。そして同図の(ａ)に示しているように、カギ２１は係止部１８に係止し、下ヨロイ部２２は上ヨロイ部７と共にツル端を間に挟んでネジ止めしている。
【００２１】
図７は図１における継手部の展開図であり、２３は軸、２４は軸ネジを示し、該軸２３と軸ネジ２４とでフロント部の外側にツル１６が折畳み出来るように取付けている。上フレーム２の上ヨロイ部７には軸穴２５を有すリング２６が形成され、同じく下フレーム９の下ヨロイ片１０にも軸穴２５を有すリング２６を形成している。そしてツル１６の端には軸穴２５を有すリング２７を設け、リング端にはストッパー２８が屈曲して形成されている。また同図の２９，２９…はナイロンワッシャを示している。
【００２２】
そこで、軸２３に下から順にナイロンワッシャ２９、下ヨロイ部１０のリング２６、ナイロンワッシャ２９、ツル端のリング２７、ナイロンワッシャ２９、上ヨロイ部７のリング２６、ナイロンワッシャ２９を嵌め、そしてこれらが軸２３から外れないように、また重ね合わされたナイロンワッシャ２９やリング２６などの間に隙間なく、適度に圧接する為に軸ネジ２４が締められる。
【００２３】
軸２３に嵌った上記ナイロンワッシャ２９、下ヨロイ部１０のリング２６、ナイロンワッシャ２９、ツル端のリング２７、ナイロンワッシャ２９、上ヨロイ部７のリング２６、ナイロンワッシャ２９は軸２３と軸ネジ２４のツバ３０，３０にて締め付けられる。また上記リング２６，２７，２６は軸穴２５，２５…を備えているが、軸２３はこれら軸穴２５，２５…との間に隙間なく嵌り、その為に軸穴２５、２５・・は僅かなマイナスクリアランスを有している。
【図面の簡単な説明】
【００２４】
【図１】本考案に係るメガネフレームの正面図。
【図２】本考案に係るメガネフレームの平面図。
【図３】フロント部を構成する上フレームと下フレーム。
【図４】上フレームの境界に下フレームの係止部が係止した詳細図。
【図５】連結部の平面拡大図。
【図６】本考案のメガネフレームを示す他の形態のフロント部。
【図７】ツルの継手構造を示す展開図。
【図８】従来の一般的なメガネフレーム。
【符号の説明】
【００２５】
１  フロント部
２  上フレーム
３  下フレーム
４  鼻当てパット
５  連結部
６  上リム部
７  上ヨロイ部
８  連結部
９  下リム部
10  下ヨロイ部
11  脚
12  穴
14  係止部
15  境界
16  ツル
17  上フレーム
18  係止部
19  下リム部
20  高張力糸
21  カギ
22  下ヨロイ部
23  軸
24  軸ネジ
25  軸穴
26  リング
27  リング
28  ストッパー
29  ナイロンワッシャ
30  ツバ
【図１】
0003114436.tif 000003
【図２】
0003114436.tif 000004
【図３】
0003114436.tif 000005
【図４】
0003114436.tif 000006
【図５】
0003114436.tif 000007
【図６】
0003114436.tif 000008
【図７】
0003114436.tif 000009
【図８】
0003114436.tif 000010